(57)【要約】【課題】  コモン線の変換作業における作業員の作業負担、作業時間を大幅に軽減できるエレベータ信号伝送システム及びコモン線変換方法を提供すること。【解決手段】  ＋側電源線に接続された制御装置と、−側電源線に接続された各階のインジケータ又はエレベータかご内のインジケータを含む負荷との間で信号の送受を実行するエレベータ信号伝送システムにおいて、前記＋側電源線と前記負荷との間に−コモンを＋コモンに変換するコモン変換用の制御基板を設け、前記制御基板は、前記＋側電源線に接続され、前記制御装置からの制御指令によって導通する吸い込み型のスイッチング素子と、前記＋側電源線と前記負荷との間に設けられ、当該スイッチング素子の導通によって前記＋側電源線と前記負荷とを電気的に接続する半導体リレーと、を備える。【選択図】図１
2017019576.tif 000002
【特許請求の範囲】
【請求項１】
＋側電源線に接続された制御装置と、−側電源線に接続された各階のインジケータ又はエレベータかご内のインジケータを含む負荷との間で信号の送受を実行するエレベータ信号伝送システムにおいて、
前記＋側電源線と前記負荷との間に−コモンを＋コモンに変換するコモン変換用の制御基板を設け、
前記制御基板は、
前記＋側電源線に接続され、前記制御装置からの制御指令によって導通する吸い込み型のスイッチング素子と、
前記＋側電源線と前記負荷との間に設けられ、当該スイッチング素子の導通によって前記＋側電源線と前記負荷とを電気的に接続する半導体リレーと、
を備えることを特徴とするエレベータ信号伝送システム。
【請求項２】
前記半導体リレーは、前記＋側電源線と前記スイッチング素子との間に設けられ、当該スイッチング素子の導通によって導通状態となるダイオードと、前記＋側電源線と前記負荷との間に設けられ、前記ダイオードの導通状態で前記＋側電源線と前記負荷とを電気的に接続する半導体素子とを備えることを特徴とする請求項１に記載のエレベータ信号伝送システム。
【請求項３】
＋側電源線に接続された制御装置と、−側電源線に接続された各階のインジケータ又はエレベータかご内のインジケータを含む負荷との間で信号の送受を実行するエレベータ信号伝送システムにおいて、
前記制御装置からの制御指令によって導通する吸い込み型のスイッチング素子と、当該スイッチング素子の導通によって前記＋側電源線と前記負荷とを電気的に接続する半導体リレーと、を備えたコモン変換用の制御基板を、前記＋側電源線と前記負荷との間に取り付ける工程を備えることを特徴とするコモン線変換方法。
【発明の詳細な説明】
【技術分野】
【０００１】
本発明の実施形態は、エレベータ信号伝送システム及びコモン線変換方法に関する。
【背景技術】
【０００２】
エレベータの制御は、リレーシーケンスによる時代を経てマイコン制御に移行してきている。しかし、エレベータの制御盤がマイコン制御にリニューアルされた場合であっても、乗り場のインジケータ（ＨＩＢ：乗り場位置表示灯付押しボタン）等は、そのまま使用されることが多い。
【０００３】
ところで、従来のリレーシーケンスでは、マイナスコモンが標準となっているのに対して、マイコン制御ではプラスコモンで動作する仕様となる。このため、制御盤がマイコン制御に移行すると、これに伴い、乗り場のインジケータ等の配線も、マイナスコモンからプラスコモンへと、コモン線を入れ替える必要が生じる。
【０００４】
従来、コモン線の入れ替え作業は、現場の作業員が配線を１本１本、手作業で入れ替えていた。
【先行技術文献】
【特許文献】
【０００５】
【特許文献１】特開２００３−０８１５４９号公報
【発明の概要】
【発明が解決しようとする課題】
【０００６】
しかし、各階の乗り場に設けられたインジケータは乗りかごの現在位置を示すもので、階床数分の信号を各階に出力する配線が必要である。このため、建屋の階床数が多い場合や乗りかごの数が多い場合には、その数に比例して作業量が増大し、作業員に多大な作業負担をかけ、作業時間も多くなってしまう。また、作業負担が多いことは作業ミスの発生要因にもなる等の課題があった。
【０００７】
本発明は上記の事情に鑑み、コモン線の変換作業における作業員の作業負担、作業時間を大幅に軽減できるエレベータ信号伝送システム及びコモン線変換方法を提供することを目的としている。
【課題を解決するための手段】
【０００８】
上記の目的を達成するための態様は、＋側電源線に接続された制御装置と、−側電源線に接続された各階のインジケータ又はエレベータかご内のインジケータを含む負荷との間で信号の送受を実行するエレベータ信号伝送システムにおいて、前記＋側電源線と前記負荷との間に−コモンを＋コモンに変換するコモン変換用の制御基板を設け、前記制御基板は、前記＋側電源線に接続され、前記制御装置からの制御指令によって導通する吸い込み型のスイッチング素子と、前記＋側電源線と前記負荷との間に設けられ、当該スイッチング素子の導通によって前記＋側電源線と前記負荷とを電気的に接続する半導体リレーと、を備える。
【０００９】
また、他の態様は、＋側電源線に接続された制御装置と、−側電源線に接続された各階のインジケータ又はエレベータかご内のインジケータを含む負荷との間で信号の送受を実行するエレベータ信号伝送システムにおいて、前記制御装置からの制御指令によって導通する吸い込み型のスイッチング素子と、当該スイッチング素子の導通によって前記＋側電源線と前記負荷とを電気的に接続する半導体リレーと、を備えたコモン変換用の制御基板を、前記＋側電源線と前記負荷との間に取り付ける工程を備える。
【図面の簡単な説明】
【００１０】
【図１】エレベータ信号伝送システムの実施形態を示す構成図。
【図２】（Ａ）はエレベータ信号伝送システムのリニューアル前の構成図、（Ｂ）はその簡略図。
【図３】（Ａ）は図２に示すエレベータ信号伝送システムの従来におけるリニューアル後の状態を示す構成図、（Ｂ）はその簡略図。
【発明を実施するための形態】
【００１１】
図１はエレベータ信号伝送システムの実施形態を示すブロック図である。本実施形態では、３階建ての建屋の各階のエレベータ乗り場に設けられたフロアインジケータの点灯制御を例に説明する。
【００１２】
同図に示すように、１階（１Ｆ）、２階（２Ｆ）、３階の各階の乗り場には、エレベータの現在位置を表示するフロアインジケータ１１，１３，１５が設けられている。例えば、乗りかごが１階にあるときには、各フロアインジケータ１１，１３，１５のランプ“１”が点灯する。乗りかごが２階に移動すると、各フロアインジケータ１１，１３，１５のランプ“１”が消灯し、各フロアインジケータ１１，１３，１５のランプ“２”が点灯する。同様に、乗りかごが３階に移動すると、各フロアインジケータ１１，１３，１５のランプ“２”が消灯して各フロアインジケータ１１，１３，１５のランプ“３”が点灯する。
【００１３】
各フロアインジケータ１１，１３，１５は各別の制御基板１７，１９，２１を介してＤＣ２４Ｖの＋側電源線に接続されている。各フロアインジケータ１１，１３，１５の他端は、−側電源線に接続されている。
【００１４】
制御基板１７，１９，２１は＋コモンで動作するもので、従来の−コモンで動作していた各フロアインジケータ１１，１３，１５を＋コモンで動作するように変換する機能を有している。なお、各制御基板１７，１９，２１は同一構成であるため、ここでは制御基板１７についてのみ説明することとする。
【００１５】
制御基板１７はエミッタ接地のＮＰＮ型トランジスタ３１と、このトランジスタ３１のコレクタに−側が接続され、＋側はＤＣ２４Ｖの＋側電源線に接続されたダイオード３３と、＋側がＤＣ２４Ｖの＋側電源線に接続され、−側が各フロアインジケータ１１，１３，１５のランプ“１”に接続された半導体素子３５とを備えている。ダイオード３３と半導体素子３５とで半導体リレー３７が構成されている。半導体素子３５としては、パワーＭＯＳＦＥＴを用いれば、フォトトライアックやフォトトランジスタ方式よりも微小アナログ信号の制御に適したスイッチングが可能となる。半導体リレー３７を使用することで、機械的接点を有する従来のリレーに比べて、寿命が短く、サイズも小さく、しかも振動や衝撃にも強い構成となる。なお、半導体リレー３７はダイオード３３をフォトダイオード（発光素子）で構成し、半導体素子３５をフォトトランジスタ（受光素子）で構成したフォトカプラで構成することもできる。
【００１６】
次に、実施形態の作用を説明する。実施形態のエレベータ信号伝送システムにおいて、乗りかごが１階に位置し、制御装置（図示せず）からランプ“１”の点灯指令が出力されると、その制御指令は制御基板１７のＮＰＮ型トランジスタ３１のベースに供給される。これにより、トランジスタ３１は導通し、コレクタに接続されたダイオード３３が導通する。ダイオード３３が導通すると、これに応答して半導体素子３５もスイッチング動作を開始して導通する。これにより、ＤＣ２４Ｖの＋電源線から各フロアインジケータ１１，１３，１５のランプ“１”に電源が供給され、ランプ“１”が点灯する。一方、制御装置からの制御指令が停止すると、トランジスタ３１がオフとなり、半導体リレー３７のダイオード３３が非導通となる。その結果、半導体素子３５がオフになり、フロアインジケータ１１，１３，１５への電源供給が停止して、ランプ“１”が消灯する。
【００１７】
乗りかごが１階から２階に移動すると、制御装置からランプ“２”の点灯指令が出力され制御基板１９に供給される。制御基板１９は制御基板１７と同様に作用し、各階のフロアインジケータのランプ“２”が点灯する。同様に、乗りかごが２階から３階に移動すると、ランプ“３”の点灯指令が制御基板１９に供給され、各階のフロアインジケータのランプ“３”が点灯する。
【００１８】
次に、実施形態の効果を比較するため、従来のコモンの変換について図２、図３を参照して説明する。
【００１９】
図２は従来の−コモンのリレー式シーケンスによる信号伝送システムを示しており、（ａ）は従来の信号回路、（ｂ）は簡易回路である。従来は電磁リレー回路が一般的であり、マイナス電源側がコモン線２３となっている。各リレー４１をオンさせることによって、ＤＣ２４Ｖ電源が各フロアインジケータ１１，１３，１５に供給される。つまり、負荷である各フロアインジケータ１１，１３，１５の上流側（＋電源側）で信号の入り切りを行っている。
【００２０】
制御盤をリニューアルしてマイコン仕様に変更すると、マイコンは＋コモンで動作するため、コモンの入れ替えをする必要がある。図３はコモンをマイナスからプラスに入れ替えたリニューアル後の信号伝送システムを示しており、（ａ）は従来の信号回路、（ｂ）は簡易回路である。図３がコモンをマイナスからプラスに入れ替えたリニューアル後の回路構成である。図２と図３を比較することで理解できるように、プラス側をコモン線２３に接続する作業、マイナス側の配線を１本１本、マイナス電源線に接続する作業が必要になる。
【００２１】
各リレー４１をオンさせることによって、ＤＣ２４Ｖ電源が各フロアインジケータ１１，１３，１５に供給される。このとき、負荷である各フロアインジケータ１１，１３，１５の下流側（−電源側）で信号の入り切りを行っている。
【００２２】
図１と図３は、同じ＋コモンを示しているが、図１に示す実施形態では、負荷である各フロアインジケータ１１，１３，１５の上流側（＋電源側）で信号の入り切りを行っている。したがって、制御基板１７，１９，２１を図２に示す各リレー４１と交換するだけの簡単な作業で、−コモンを＋コモンに変換することができる。
【００２３】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２４】
１１，１３，１５…フロアインジケータ、１７，１９，２１…制御基板、２３…コモン線、３１…ＮＰＮ型トランジスタ、３３…ダイオード、３５…半導体素子、３７…半導体リレー、４１…リレー。
【図１】
2017019576.tif 000003
【図２】
2017019576.tif 000004
【図３】
2017019576.tif 000005
【手続補正書】
【提出日】平成28年8月29日(2016.8.29)
【手続補正１】
【補正対象書類名】特許請求の範囲
【補正対象項目名】全文
【補正方法】変更
【補正の内容】
【特許請求の範囲】
【請求項１】
＋側電源線に接続された制御装置と、−側電源線に接続された各階のインジケータ又はエレベータかご内のインジケータを含む負荷との間で信号の送受を実行するエレベータ信号伝送システムにおいて、
前記＋側電源線と前記負荷との間に−コモンを＋コモンに変換するコモン変換用の制御基板を設け、
前記制御基板は、
前記＋側電源線に接続され、前記制御装置からの制御指令によって導通する吸い込み型のスイッチング素子と、
前記＋側電源線と前記負荷との間に設けられ、当該スイッチング素子の導通によって前記＋側電源線と前記負荷とを電気的に接続する半導体リレーと、
を備え、かつ、
前記半導体リレーは、前記＋側電源線と前記スイッチング素子との間に設けられ、当該スイッチング素子の導通によって導通状態となるダイオードと、前記＋側電源線と前記負荷との間に設けられ、前記ダイオードの導通状態で前記＋側電源線と前記負荷とを電気的に接続する半導体素子とを備えることを特徴とするエレベータ信号伝送システム。